(57)【特許請求の範囲】
【請求項１】
高圧電線に接続される短絡接地器具及びこの短絡接地器具に接続された課電ケーブルを介して前記高圧電線に接続され、前記高圧電線の地絡事故地点を確定するために使用される事故探査装置において、
課電開始信号が入力されると課電スイッチが閉じ、前記課電ケーブルに接続されて課電し、課電停止信号が入力されると前記課電スイッチが開き、前記課電ケーブルとの接続が遮断されて課電を停止する課電回路と、
前記課電ケーブルと地面に接地された接地具とを接地スイッチを介して接続する地絡回路と、を有し、
前記接地スイッチは、
前記課電開始信号が入力されるまでは前記接地具と前記課電ケーブルとを接続し、
前記課電開始信号が入力されると、前記接地具と前記課電ケーブルとの接続を遮断し、
前記課電停止信号が入力されると、前記接地具と前記課電ケーブルとを接続するようになっており、
前記課電開始信号は、課電開始スイッチがオン操作されることによりコントローラに入力され、
前記課電停止信号は、課電停止スイッチがオン操作されることにより前記コントローラに入力され、
前記コントローラは、前記接地スイッチの開閉制御及び前記課電回路の前記課電スイッチの開閉制御をするようになっており、前記課電開始信号が入力されると、前記接地スイッチを開き、前記接地具と前記課電ケーブルの接続を遮断した後、前記課電回路の前記課電スイッチを閉じさせ、前記課電回路と前記課電ケーブルを接続する、
ことを特徴とする事故探査装置。
【請求項２】
高圧電線に接続される短絡接地器具及びこの短絡接地器具に接続された課電ケーブルを介して前記高圧電線に接続され、前記高圧電線の地絡事故地点を確定するために使用される事故探査装置において、
課電開始信号が入力されると前記課電ケーブルに接続されて課電し、前記課電開始信号が入力された後に所定時間経過すると前記課電ケーブルとの接続が遮断されて課電を停止する課電回路と、
前記課電ケーブルと地面に接地された接地具とを接地スイッチを介して接続する地絡回路と、を有し、
前記接地スイッチは、
前記課電開始信号が入力されるまでは前記接地具と前記課電ケーブルとを接続し、
前記課電開始信号が入力されると、前記接地具と前記課電ケーブルとの接続を遮断し、
前記課電開始信号が入力された後に所定時間経過すると、前記接地具と前記課電ケーブルとを接続するようになっており、
前記課電開始信号は、課電開始スイッチがオン操作されることによりコントローラに入力され、
前記コントローラは、
前記課電開始信号が入力されるまでは、前記接地具と前記課電ケーブルとを前記接地スイッチによって接続させ、
前記課電開始信号が入力されると、前記接地スイッチに地絡停止信号を出力し、前記接地具と前記課電ケーブルとの接続を前記接地スイッチによって遮断させ、
前記課電開始信号が入力された後に所定時間が経過すると、前記課電回路による前記課電ケーブルへの課電を停止させ、前記接地スイッチに地絡信号を出力し、前記接地具と前記課電ケーブルとを前記接地スイッチによって接続させる、
ことを特徴とする事故探査装置。
【発明の詳細な説明】
【技術分野】
【０００１】
この発明は、短絡接地機能を有した事故探査装置に関するものである。
【背景技術】
【０００２】
従来、図４に示すように、落雷等によって地絡事故が発生し、その地絡事故が継続している場合には、検電器具（図示せず）で停電を確認した後、事故探査装置１００を高圧電線１０１に課電ケーブル１０２を介して接続し、その事故探査装置１００によって地絡事故地点を探るようになっている（特許文献１参照）。
【０００３】
事故探査装置１００によって地絡事故地点を確定した後、課電ケーブル１０２を高圧電線１０１から取り外し、誤通電、他の電路との混触又は他の電路からの誘導による感電の危険を防止するため、高圧電線１０１に短絡接地器具１０３を取り付けて、その短絡接地器具１０３と地面に接地した接地具１０４を接地ケーブル１０５で接続して、高圧電線１０１を確実に短絡接地するようになっている。
【０００４】
その後、地絡事故地点の改修作業を行い、この改修作業の終了後、短絡接地器具１０３を高圧電線１０１から取り外し、再度、事故探査装置１００を高圧電線１０１に課電ケーブル１０２を介して接続し、地絡事故地点が無いことを確認する。
【０００５】
そして、高圧電線１０１に地絡事故地点がないことを確認した後、事故探査装置１００及び課電ケーブル１０２を高圧電線１０１から取り外し、その後に送電を行っている。
【先行技術文献】
【特許文献】
【０００６】
【特許文献１】特開２０１０−２５６１３４号公報
【発明の概要】
【発明が解決しようとする課題】
【０００７】
しかしながら、従来の地絡事故改修作業においては、高圧電線１０１への課電ケーブル１０２の取付作業及び取り外し作業を複数回行うと共に、高圧電線１０１への短絡接地器具１０３の取付作業及び取り外し作業を行うようになっている。しかも、課電ケーブル１０２及び短絡接地器具１０３が高圧電線１０１から取り外される場合、絶縁被覆が取り除かれた裸の高圧電線１０１を絶縁保護部材（図示せず）で保護する必要がある。そのため、従来の地絡事故改修作業は、作業効率が非常に悪く、多くの作業時間を要していた。
【０００８】
そこで、本発明は、地絡事故改修作業の効率化を図ることができ、地絡事故改修作業時間の短縮を可能にする事故探査装置の提供を目的とする。
【課題を解決するための手段】
【０００９】
本発明は、図１乃至図２に示すように、高圧電線４に接続される短絡接地器具３，３４及びこの短絡接地器具３，３４に接続された課電ケーブル２を介して前記高圧電線４に接続され、前記高圧電線４の地絡事故地点を確定するために使用される事故探査装置１，３６に関するものである。この事故探査装置１，３６は、（１）課電開始信号が入力されると課電スイッチ２１が閉じ、前記課電ケーブル２に接続されて課電し、課電停止信号が入力されると前記課電スイッチ２１が開き、前記課電ケーブル２との接続が遮断されて課電を停止する課電回路２３と、（２）前記課電ケーブル２と地面に接地された接地具２４とを接地スイッチ３０を介して接続する地絡回路２５と、を有している。そして、前記接地スイッチ３０は、前記課電開始信号が入力されるまでは前記接地具２４と前記課電ケーブル２とを接続する。また、前記接地スイッチ３０は、前記課電開始信号が入力されると、前記接地具２４と前記課電ケーブル２との接続を遮断する。また、前記接地スイッチ３０は、前記課電停止信号が入力されると、前記接地具２４と前記課電ケーブル２とを接続するようになっている。また、前記課電開始信号は、課電開始スイッチ３１がオン操作されることによりコントローラ２２に入力される。また、前記課電停止信号は、課電停止スイッチ３２がオン操作されることにより前記コントローラ２２に入力される。そして、前記コントローラ２２は、前記接地スイッチ３０の開閉制御及び前記課電回路２３の前記課電スイッチ２１の開閉制御をするようになっており、前記課電開始信号が入力されると、前記接地スイッチ３０を開き、前記接地具２４と前記課電ケーブル２の接続を遮断した後、前記課電回路２３の前記課電スイッチ２１を閉じさせ、前記課電回路２３と前記課電ケーブル２を接続するようになっている。
また、本発明は、図３に示すように、高圧電線４に接続される短絡接地器具３，３４及びこの短絡接地器具３，３４に接続された課電ケーブル２を介して前記高圧電線４に接続され、前記高圧電線４の地絡事故地点を確定するために使用される事故探査装置１，３６に関するものである。この事故探査装置１，３６は、（１）課電開始信号が入力されると前記課電ケーブル２に接続されて課電し、前記課電開始信号が入力された後に所定時間経過すると前記課電ケーブル２との接続が遮断されて課電を停止する課電回路２３と、（２）前記課電ケーブル２と地面に接地された接地具２４とを接地スイッチ３０を介して接続する地絡回路２５と、を有している。そして、前記接地スイッチ３０は、前記課電開始信号が入力されるまでは前記接地具２４と前記課電ケーブル２とを接続する。また、前記接地スイッチ３０は、前記課電開始信号が入力されると、前記接地具２４と前記課電ケーブル２との接続を遮断する。また、前記接地スイッチ３０は、前記課電開始信号が入力された後に所定時間経過すると、前記接地具２４と前記課電ケーブル２とを接続するようになっている。前記課電開始信号は、課電開始スイッチ３１がオン操作されることによりコントローラ２２に入力される。また、前記コントローラ２２は、前記課電開始信号が入力されるまでは、前記接地具２４と前記課電ケーブル２とを前記接地スイッチ３０によって接続させ、前記課電開始信号が入力されると、前記接地スイッチ３０に地絡停止信号を出力し、前記接地具２４と前記課電ケーブル２との接続を前記接地スイッチ３０によって遮断させ、前記課電開始信号が入力された後に所定時間が経過すると、前記課電回路２３による前記課電ケーブル２への課電を停止させ、前記接地スイッチ３０に地絡信号を出力し、前記接地具２４と前記課電ケーブル２とを前記接地スイッチ３０によって接続させるようになっている。
【発明の効果】
【００１０】
本発明によれば、事故探査装置が地絡回路を有しており、事故探査装置が短絡接地機能を発揮し得るため、短絡接地器具を電線に１回着脱するだけで済み、地絡事故改修作業の作業効率を高め、地絡事故改修作業の作業時間を短縮できる。
【図面の簡単な説明】
【００１１】
【図１】本発明の第１実施形態に係る事故探査装置及びその使用状態を示す構造図である。
【図２】図１の事故探査装置の使用状態と異なる事故探査装置の使用状態を示す構造図である。
【図３】本発明の第２実施形態に係る事故探査装置を示す図である。
【図４】従来の地絡事故改修作業の説明図である。
【発明を実施するための形態】
【００１２】
以下、本発明の実施形態を図面に基づき詳述する。
【００１３】
［第１実施形態］
図１は、本発明の第１実施形態に係る事故探査装置１及びその使用状態を示す構造図である。
【００１４】
（事故探査装置の構造）
この図１に示すように、事故探査装置１は、課電ケーブル２及びこの課電ケーブル２が接続された短絡接地器具３を介して３相（３本）の高圧電線４のそれぞれに接続されている。課電ケーブル２は、課電電圧に耐えることができ、且つ、地絡電流にも耐えることができるようになっている。そして、３本の高圧電線４のそれぞれに取り付けられた３個の短絡接地器具３から延びる３本の課電ケーブル２が途中で１本にまとめられ、その課電ケーブル２の先端が事故探査装置１の課電ケーブル接続端子５に接続されている。
【００１５】
短絡接地器具３は、絶縁被覆が取り除かれた裸状態の高圧電線４を把持する把持金具６が第１把持金具７と第２把持金具８とに２分割され、第１把持金具７が短絡接地器具本体１０に固定され、第２把持金具８が短絡接地器具本体１０の支柱部１１に沿ってスライド移動できるようになっている。第２把持金具８は、短絡接地器具本体１０のアーム部１２に螺合された作動ネジ１３の先端に取り付けられており、作動ネジ１３が間接活線工具１４によって操作されることにより、短絡接地器具本体１０の支柱部１１に沿ってスライド移動させられ、第１把持金具７との間に高圧電線４を把持するか、又は高圧電線４の把持状態を解除するようになっている。第１把持金具７は、短絡接地器具本体１０内において課電ケーブル２の一端に接続されている。
【００１６】
事故探査装置１は、筐体１５の内部に収容された電源回路１６が外部電源に電源スイッチ１７を介して接続されており、電源スイッチ１７がオンされると、電源回路１６が通電され、電源スイッチ１７がオフされると、電源回路１６への通電が遮断される。電源回路１６は、筐体１５の内部に収容された直流高圧発生回路１８に接続されている。そして、直流高圧発生回路１８は、内蔵ケーブル２０及びこの内蔵ケーブル２０の途中に配置された課電スイッチ２１を介して課電ケーブル接続端子５に接続されている。筐体１５の内部に内臓された課電スイッチ２１は、コントローラ２２からの制御信号に基づいて作動し、直流高圧発生回路１８と課電ケーブル２との接続又は遮断を行うようになっている。これら電源回路１６、直流高圧発生回路１８、内蔵ケーブル２０、及び課電スイッチ２１は、課電ケーブル２に高圧（例えば、５０００Ｖ）の課電電圧をパルス状に印加する課電回路２３を構成している。
【００１７】
また、事故探査装置１は、筐体１５の内部に地面に接地された接地具２４と課電ケーブル接続端子５（課電ケーブル２）とを接続する地絡回路２５を収容している。この地絡回路２５は、地絡ケーブル２６が課電回路２３を迂回するように設けられている。地絡ケーブル２６は、その一端が課電スイッチ２１と課電ケーブル接続端子５との間の内蔵ケーブル２０に接続されるか又は課電ケーブル接続端子５に直接接続されている。また、地絡ケーブル２６は、その他端が直流高圧発生回路１８と地絡端子２７との間の放電ケーブル２８に接続されている。そして、地絡ケーブル２６の途中には、コントローラ２２によって作動制御される接地スイッチ３０が配置されている。この接地スイッチ３０は、コントローラ２２からの制御信号に基づいて地絡回路２５の開閉を行うようになっている。
【００１８】
筐体１５の外表面には、課電開始スイッチ３１と課電停止スイッチ３２が配置された操作パネル３３が取り付けられている。課電開始スイッチ３１及び課電停止スイッチ３２は、筐体１５内に収容されたコントローラ２２と電気的に接続されている。そして、課電開始スイッチ３１がオン操作されると、課電開始信号がコントローラ２２に入力される。また、課電停止スイッチ３２がオン操作されると、課電停止信号がコントローラ２２に入力される。コントローラ２２は、これら課電開始スイッチ３１及び課電停止スイッチ３２からの信号に基づいて、接地スイッチ３０及び課電スイッチ２１の作動を制御する。なお、コントローラ２２は、マイクロコンピュータ、リレー回路等が適用される。
【００１９】
（事故探査装置の作動）
このような構成の事故探査装置１において、接地スイッチ３０は、課電開始スイッチ３１がオン操作されず、課電開始信号がコントローラ２２に入力されないと、課電ケーブル２を地絡回路２５を介して接地具２４に接続する。この際、課電スイッチ２１は、開いた状態にあり、直流高圧発生回路１８と課電ケーブル２の接続が遮断されている。
【００２０】
課電開始スイッチ３１がオン操作されると、課電開始信号がコントローラ２２に入力され、コントローラ２２から接地スイッチ３０に制御信号が出力され、接地スイッチ３０がコントローラ２２からの制御信号に基づいて開き、接地具２４と課電ケーブル２の接続が遮断される。コントローラ２２は、接地スイッチ３０へ制御信号を出力した後、課電スイッチ２１に制御信号を出力し、課電スイッチ２１を閉じさせ、直流高圧発生回路１８と課電ケーブル２を課電スイッチ２１及び内蔵ケーブル２０を介して接続し、課電ケーブル２に課電電圧を印加する。これにより、高圧電線４の地絡事故地点を確定する事故探査作業が、本実施形態に係る事故探査装置１によって開始される。
【００２１】
地絡事故地点が確定され、課電停止スイッチ３２がオン操作されると、課電停止信号がコントローラ２２に入力され、コントローラ２２から課電スイッチ２１に制御信号が出力され、課電スイッチ２１がコントローラ２２からの制御信号に基づいて開き、直流高圧発生回路１８と課電ケーブル２との接続が遮断される。コントローラ２２は、課電スイッチ２１へ制御信号を出力した後、接地スイッチ３０に制御信号を出力し、接地スイッチ３０を閉じさせて、接地具２４と課電ケーブル２とを接地スイッチ３０及び地絡ケーブル２６を介して接続し、課電ケーブル２を確実に接地する。
【００２２】
（本実施形態の効果）
以上のように、本実施形態に係る事故探査装置１は、地絡回路２５を有し、短絡接地機能を発揮し得るため、短絡接地器具３を高圧電線４に１回着脱するだけで済み、地絡事故改修作業の作業効率を高め、地絡事故改修作業の作業時間を短縮できる。
【００２３】
（事故探査装置の他の使用状態）
図２は、第１実施形態に係る事故探査装置１の他の使用状態を示す構造図である。なお、図２において、事故探査装置１は、図１に示した事故探査装置１と同一であり、課電ケーブル２と高圧電線４との接続状態のみが相違している。
【００２４】
すなわち、図２において、本実施形態に係る事故探査装置１は、短絡接地器具３４がカットアウト装置３５を介して高圧電線４に接続されるようになっている。
【００２５】
このように、課電ケーブル２、短絡接地器具３４及びカットアウト装置３５を介して高圧電線４に接続される本実施形態に係る事故探査装置１は、短絡接地器具３４をカットアウト装置３５を介して高圧電線４に１回着脱するだけ済むため、地絡事故改修作業の作業効率を高め、地絡事故改修作業の作業時間を短縮できる。
【００２６】
［第２実施形態］
図３は、本発明の第２実施形態に係る事故探査装置３６を示す図であり、図１及び図２に示した事故探査装置１の変形例を示す図である。
【００２７】
本変実施形態に係る事故探査装置３６は、課電開始スイッチ３１のみが操作パネル３３に配置され、課電停止スイッチ３２が省略されている（図１参照）。
【００２８】
本実施形態に係る事故探査装置３６は、課電開始スイッチ３１がオン操作されると、課電開始信号がコントローラ２２に入力される。
【００２９】
コントローラ２２は、課電開始信号が入力されるまでは、接地具２４と課電ケーブル２とを接地スイッチ３０及び地絡ケーブル２６によって接続させ、課電ケーブル２を確実に接地する。また、コントローラ２２は、課電開始スイッチ３１がオン操作され、課電開始信号が入力されると、接地スイッチ３０に地絡停止信号を出力し、接地具２４と課電ケーブル２との接続を接地スイッチ３０によって遮断させる。その後、コントローラ２２は、課電開始信号を課電スイッチ２１に出力し、課電スイッチ２１を閉じさせて、直流高圧発生回路１８と課電ケーブル２とを課電スイッチ２１及び内蔵ケーブル２０を介して接続し、課電ケーブル２に課電電圧を印加する。これにより、高圧電線４の地絡事故地点を確定する事故探査作業が、本実施形態に係る事故探査装置３６によって開始される（図１及び図２参照）。また、コントローラ２２は、課電開始信号が入力された後に所定時間が経過すると、課電停止信号を課電スイッチ２１に出力し、課電スイッチ２１を開かせて、直流高圧発生回路１８と課電ケーブル２との接続を遮断する。その後、コントローラ２２は、制御信号（地絡信号）を接地スイッチ３０に出力し、接地スイッチ３０を閉じさせて、接地具２４と課電ケーブル２とを接地スイッチ３０及び地絡ケーブル２６によって接続させる。
【００３０】
本実施形態に係る事故探査装置３６は、上記第１実施形態に係る事故探査装置１と同様の効果を得ることができる。
【符号の説明】
【００３１】
１，３６……事故探査装置、２……課電ケーブル、３，３４……短絡接地器具、４……高圧電線、２３……課電回路、２４……接地具、２５……地絡回路、３０……接地スイッチ
【図１】
0005840661.tif 000002
【図２】
0005840661.tif 000003
【図３】
0005840661.tif 000004
【図４】
0005840661.tif 000005